(57)【要約】【課題】ファントムセル内で、Ｃ-ＲＮＴＩの枯渇問題を回避しつつ、シンプルな実装で、同一のＣ-ＲＮＴＩが割り当てられた移動局同士の衝突を回避する。【解決手段】本発明に係る無線基地局ｅＮＢは、各移動局ＵＥ＃１〜ＵＥ＃４に対して、複数のＣ-ＲＮＴＩを割り当てることができるように構成されている割当部１１を具備しており、割当部１１は、複数の移動局ＵＥ＃１〜ＵＥ＃４同士で、ＰＤＣＣＨ用リソースを割り当てるサーチスペースが衝突しないように調整するように構成されている。【選択図】図４
2014138393.tif 000002
【特許請求の範囲】
【請求項１】
各移動局に対して、複数のＣ-ＲＮＴＩを割り当てることができるように構成されている割当部を具備しており、
前記割当部は、複数の移動局同士で、ＰＤＣＣＨ用リソースを割り当てるサーチスペースが衝突しないように調整するように構成されていることを特徴とする無線基地局。
【請求項２】
前記割当部は、前記移動局間の距離を考慮して、前記調整を行うように構成されていることを特徴とする請求項１に記載の無線基地局。
【請求項３】
移動局であって、
無線基地局によって割り当てられている複数のＣ-ＲＮＴＩを管理するように構成されている管理部と、
前記複数のＣ-ＲＮＴＩに対応するサーチスペースにおいて、前記移動局宛てのＰＤＣＣＨ用リソースを探索するように構成されている受信部とを具備することを特徴とする移動局。
【請求項４】
移動局であって、
無線基地局によって割り当てられている複数のＣ-ＲＮＴＩを管理するように構成されている管理部と、
前記複数のＣ-ＲＮＴＩのうちのプライマリＣ-ＲＮＴＩに対応するサーチスペースの一部において、該プライマリＣ-ＲＮＴＩを用いてデスクランブリング処理を行い、該サーチスペースの残りの部分において、該複数のＣ-ＲＮＴＩのうちのセカンダリＣ-ＲＮＴＩを用いてデスクランブリング処理を行うことによって、前記移動局宛てのＰＤＣＣＨ用リソースを探索するように構成されている受信部とを具備することを特徴とする移動局。
【発明の詳細な説明】
【技術分野】
【０００１】
本発明は、無線基地局及び移動局に関する。
【背景技術】
【０００２】
ＬＴＥ（Ｌｏｎｇ  Ｔｅｒｍ  Ｅｖｏｌｕｔｉｏｎ）方式において、図９に示すように、無線基地局ｅＮＢ＃Ａ/ｅＮＢ＃Ｂは、配下のセル＃Ａ/＃Ｂにおいて通信を行う移動局ＵＥに対して、Ｃ-ＲＮＴＩ（Ｃｅｌｌ-  Ｒａｄｉｏ  Ｎｅｔｏｗｏｒｋ  Ｔｅｍｐｏｒａｒｙ  Ｉｄｅｎｔｉｔｙ）を割り当てて、データの送受信を行うように構成されている（特許文献１参照）。
【０００３】
Ｃ-ＲＮＴＩは、セルごとに割り当てられるように構成されており、ＬＴＥ方式では、図９に示すように、同一のセル＃Ａにおいて通信を行う移動局ＵＥ＃１及び移動局ＵＥ＃２に対して、同一のＣ-ＲＮＴＩを割り当てることができず、異なるセル＃Ａ/＃Ｂにおいて通信を行う移動局ＵＥ＃１（又は、移動局ＵＥ＃２）及び移動局ＵＥ＃３に対して、同一のＣ-ＲＮＴＩを割り当てることができる。
【０００４】
なお、Ｃ-ＲＮＴＩは、「Ｃｏｎｔｅｎｔｉｏｎ  ｂａｓｅｄ  ＲＡ（Ｒａｎｄｏｍ  Ａｃｃｅｓｓ）手順」やハンドオーバ手順において割り当てられるように構成されている。
【０００５】
また、無線基地局ｅＮＢは、移動局ＵＥに割り当てられたＣ-ＲＮＴＩを用いて、下りリンクデータの送信や上りリンクデータの送信用リソースの割り当てを行うように構成されている。
【０００６】
また、３ＧＰＰの「Ｒｅｌ-１２ワークショップ」において、ＦＲＡ（Ｆｕｔｕｒｅ  Ｒａｄｉｏ  Ａｃｃｅｓｓ）のトピックとして、「Ｓｍａｌｌ  ｃｅｌｌ  ｅｎｈａｎｃｅｍｅｎｔ」に関する提案が多く寄せられた。
【０００７】
かかる提案の中で、「ファントムセル（Ｐｈａｎｔｏｍ  ｃｅｌｌ）」に係るコンセプトが検討されている。
【０００８】
図１０に示すように、従来のマクロセル（Ｍａｃｒｏ  ｃｅｌｌ）とは異なり、ファントムセルは、多数の「スモールセル（Ｓｍａｌｌ  ｃｅｌｌ）」を連結することで、１つの大きなセルを形成し、広いエリアをカバーすることができる。
【先行技術文献】
【非特許文献】
【０００９】
【非特許文献１】３ＧＰＰ  ＴＳ３６.３００
【発明の概要】
【発明が解決しようとする課題】
【００１０】
しかしながら、図１１に示すように、各セル（マクロセル及びファントムセル）では、６５５３５個のＣ-ＲＮＴＩを管理しており、各移動局ＵＥに対して１個のＣ-ＲＮＴＩを割り当てる必要がある。
【００１１】
ここで、ファントムセルのカバレッジエリアが広くなると、ファントムセル内で通信を行う移動局ＵＥの数が増えるため、ファントムセル内で移動局ＵＥに割り当てるＣ-ＲＮＴＩが枯渇するケースが生じ得るという問題点が想定される。
【００１２】
かかる問題点を解決するために、図１２に示すように、マクロセルでは、各移動局ＵＥに対して、１個のＣ-ＲＮＴＩを割り当てる一方、ファントムセルでは、複数の移動局ＵＥに対して、１個のＣ-ＲＮＴＩを割り当てる（すなわち、１個のＣ-ＲＮＴＩを複数の移動局ＵＥで共有する）という運用が行われることが想定される。
【００１３】
しかしながら、かかる運用を行った場合、図１３に示すように、同じセル内で同一のＣ-ＲＮＴＩが割り当てられた移動局ＵＥ＃１/ＵＥ＃２が、同一のＰＤＣＣＨ（Ｐｈｙｓｉｃａｌ  Ｄｏｗｎｌｉｎｋ  Ｃｏｎｔｒｏｌ  Ｃｈａｎｎｅｌ）信号を受信してしまい、無線基地局ｅＮＢが意図していない移動局ＵＥ＃２が、移動局ＵＥ＃１に対する割り当て情報を誤って受信してしまう可能性がある。
【００１４】
具体的には、ＬＴＥ方式では、各移動局ＵＥによって探索されるべきサーチスペースは、Ｃ-ＲＮＴＩによって一意に決まるように構成されているため、図１４に示すように、移動局ＵＥ＃１/Ｅ＃２に対して同一のＣ-ＲＮＴＩ＃Ａが割り当てられている場合、移動局ＵＥ＃１/Ｅ＃２が探索すべきサーチスペースは同じになる。
【００１５】
したがって、無線基地局ｅＮＢによって送信された移動局ＵＥ＃１宛てのＰＤＣＣＨ信号は、移動局ＵＥ＃１だけでなく移動局ＵＥ＃２によっても受信されてしまう。
【００１６】
この結果、無線基地局ｅＮＢが意図していない移動局ＵＥ＃２が、下りリンク信号の受信や上りリンク信号の送信を行ってしまう可能性がある。
【００１７】
以下、かかる事態を「移動局ＵＥ同士の衝突」と呼ぶことにする。
【００１８】
なお、無線基地局ｅＮＢが意図していない移動局ＵＥ＃２が、ＰＤＳＣＨ（Ｐｈｙｓｉｃａｌ  Ｄｏｗｎｌｉｎｋ  Ｓｈａｒｅｄ  Ｃｈａｎｎｅｌ）を介して、下りリンク信号を受信するのは、ＩＯＴ（Ｉｎｔｅｒｏｐｅｒａｂｉｌｉｔｙ  Ｔｅｓｔ）の観点から問題である。
【００１９】
また、無線基地局ｅＮＢが意図していない移動局ＵＥ＃２が、ＰＵＳＣＨ（Ｐｈｙｓｉｃａｌ  Ｕｐｌｉｎｋ  Ｓｈａｒｅｄ  Ｃｈａｎｎｅｌ）を介して、上りリンク信号を送信すると、他の移動局ＵＥ＃１に対する干渉となる。
【００２０】
そこで、本発明は、上述の課題に鑑みてなされたものであり、ファントムセル内で、Ｃ-ＲＮＴＩの枯渇問題を回避しつつ、シンプルな実装で、同一のＣ-ＲＮＴＩが割り当てられた移動局同士の衝突を回避することができる無線基地局及び移動局を提供することを目的とする。
【課題を解決するための手段】
【００２１】
本発明の第１の特徴は、無線基地局であって、各移動局に対して、複数のＣ-ＲＮＴＩを割り当てることができるように構成されている割当部を具備しており、前記割当部は、複数の移動局同士で、ＰＤＣＣＨ用リソースを割り当てるサーチスペースが衝突しないように調整するように構成されていることを要旨とする。
【００２２】
本発明の第２の特徴は、移動局であって、無線基地局によって割り当てられている複数のＣ-ＲＮＴＩを管理するように構成されている管理部と、前記複数のＣ-ＲＮＴＩに対応するサーチスペースにおいて、前記移動局宛てのＰＤＣＣＨ用リソースを探索するように構成されている受信部とを具備することを要旨とする。
【００２３】
本発明の第３の特徴は、移動局であって、無線基地局によって割り当てられている複数のＣ-ＲＮＴＩを管理するように構成されている管理部と、前記複数のＣ-ＲＮＴＩのうちのプライマリＣ-ＲＮＴＩに対応するサーチスペースの一部において、該プライマリＣ-ＲＮＴＩを用いてデスクランブリング処理を行い、該サーチスペースの残りの部分において、該複数のＣ-ＲＮＴＩのうちのセカンダリＣ-ＲＮＴＩを用いてデスクランブリング処理を行うことによって、前記移動局宛てのＰＤＣＣＨ用リソースを探索するように構成されている受信部とを具備することを要旨とする。
【発明の効果】
【００２４】
以上説明したように、本発明によれば、ファントムセル内で、Ｃ-ＲＮＴＩの枯渇問題を回避しつつ、シンプルな実装で、同一のＣ-ＲＮＴＩが割り当てられた移動局同士の衝突を回避することができる無線基地局及び移動局を提供することができる。
【図面の簡単な説明】
【００２５】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局及び移動局の動作を説明するための図である。
【図４】本発明の第１の実施形態に係る移動局の機能ブロック図である。
【図５】本発明の第１の実施形態に係る移動局の動作を示すフローチャートである。
【図６】本発明の変更例１に係る無線基地局及び移動局の動作を説明するための図である。
【図７】本発明の変更例１に係る無線基地局及び移動局の動作を説明するための図である。
【図８】本発明の変更例１に係る移動局の動作を示すフローチャートである。
【図９】従来技術を説明するための図である。
【図１０】従来技術を説明するための図である。
【図１１】従来技術を説明するための図である。
【図１２】従来技術を説明するための図である。
【図１３】従来技術を説明するための図である。
【図１４】従来技術を説明するための図である。
【発明を実施するための形態】
【００２６】
（本発明の第１の実施形態に係る移動通信システム）
図１乃至図５を参照して、本発明の第１の実施形態に係る移動通信システムについて説明する。
【００２７】
図１に示すように、本実施形態に係る移動通信システムは、ＬＴＥ方式の移動通信システムであって、セル＃１を管理する無線基地局ｅＮＢ＃１を具備している。ここで、セル＃１は、複数のスモールセルを連結して形成されたファントムセルである。
【００２８】
また、本実施形態に係る移動通信システムでは、図１に示すように、セル＃１内に、移動局ＵＥ＃１〜ＵＥ＃４が存在しているものとする。
【００２９】
図２に示すように、本実施形態に係る無線基地局ｅＮＢ＃１は、割当部１１と、送信部１２とを具備している。
【００３０】
割当部１１は、各移動局ＵＥ＃１〜ＵＥ＃４に対して、複数のＣ-ＲＮＴＩを割り当てることができるように構成されている。
【００３１】
図３に示すように、本実施形態に係る移動通信システムでは、割当部１１は、移動局ＵＥ＃１に対して、Ｃ-ＲＮＴＩ＃Ａ及びＣ-ＲＮＴＩ＃Ｂを割り当てるように構成されており、移動局ＵＥ＃２に対して、Ｃ-ＲＮＴＩ＃Ａ及びＣ-ＲＮＴＩ＃Ｃを割り当てるように構成されている。
【００３２】
割当部１１は、複数の移動局ＵＥ＃１〜ＵＥ＃４同士で、ＰＤＣＣＨ用リソースを割り当てるサーチスペースが衝突しないように調整するように構成されている。
【００３３】
なお、上述したように、各移動局ＵＥによって探索されるべきサーチスペースは、Ｃ-ＲＮＴＩによって一意に決まるように構成されている。
【００３４】
したがって、図３に示すように、割当部１１は、移動局ＵＥ＃１宛てのＰＤＣＣＨ用リソースをＣ-ＲＮＴＩ＃Ｂに対応するサーチスペース＃Ｂに割り当て、移動局ＵＥ＃２宛てのＰＤＣＣＨ用リソースをＣ-ＲＮＴＩ＃Ｃに対応するサーチスペース＃Ｃに割り当てるように調整することで、上述の衝突の発生を回避することができる。
【００３５】
すなわち、サーチスペース＃Ａにおいて移動局ＵＥ＃１宛てのＰＤＣＣＨ用リソース（或いは、移動局ＵＥ＃１宛てのＰＤＣＣＨ用リソース）を割り当てると、移動ＵＥ＃１及び移動局ＵＥ＃２の両者によってＰＤＣＣＨ信号が受信されてしまう可能性があるため、割当部１１は、サーチスペース＃Ａにおいて、移動局ＵＥ＃１宛てのＰＤＣＣＨ用リソース（或いは、移動局ＵＥ＃１宛てのＰＤＣＣＨ用リソース）を割り当てない。
【００３６】
ここで、割当部１１は、移動局ＵＥ＃１と移動局ＵＥ＃２との間の距離等を考慮して、移動局ＵＥ＃１と移動局ＵＥ＃２との間で衝突が発生するか否かについて判定するように構成されていてもよい。
【００３７】
移動局ＵＥ＃１と移動局ＵＥ＃２との間の距離とは、移動局ＵＥ間の物理的な距離で表されてもよいし、各移動局ＵＥが接続しているセル或いは無線基地局ｅＮＢの物理的な距離で表されてもよい。
【００３８】
送信部１２は、各移動局ＵＥ＃１〜ＵＥ＃４に対して、各種信号を送信するように構成されている。
【００３９】
例えば、送信部１２は、各移動局ＵＥ＃１〜ＵＥ＃４に対して、割当部１１によって割り当てられたＣ-ＲＮＴＩを通知するように構成されている。
【００４０】
また、送信部１２は、各移動局ＵＥ＃１〜ＵＥ＃４に対して、割当部１１によって割り当てられたＰＤＣＣＨ用リソースを用いて、ＰＤＣＣＨ信号を送信するように構成されている。
【００４１】
ここで、移動局ＵＥ＃１〜ＵＥ＃４の構成は、基本的に同一であるため、以下、移動局ＵＥの構成として説明する。図４に示すように、本実施形態に係る移動局ＵＥは、受信部２１と、管理部２２とを具備している。
【００４２】
受信部２１は、無線基地局ｅＮＢから、各種信号を受信するように構成されている。
【００４３】
例えば、受信部２１は、無線基地局ｅＮＢから、無線基地局ｅＮＢによって通知され、移動局ＵＥに対して割り当てられた複数のＣ-ＲＮＴＩを受信するように構成されている。
【００４４】
ここで、受信部２１は、無線基地局ｅＮＢによって送信された「ＲＲＣ  Ｃｏｎｎｅｃｔｉｏｎ  Ｒｅｃｏｎｆｉｇｕｒａｔｉｏｎ」や「ＲＲＣ  Ｃｏｎｎｅｃｔｉｏｎ  Ｃｏｎｆｉｇｕｒａｔｉｏｎ」等を介して、複数のＣ-ＲＮＴＩを受信するように構成されていてもよい。
【００４５】
管理部２２は、受信部２１によって受信された複数のＣ-ＲＮＴＩを管理するように構成されている。
【００４６】
ここで、受信部２２は、管理部２２によって管理されている複数のＣ-ＲＮＴＩに対応するサーチスペースの全てにおいて、移動局ＵＥ宛てのＰＤＣＣＨ用リソースを探索する、すなわち、移動局ＵＥ宛てのＰＤＣＣＨ信号のデコードを試みるように構成されている。
【００４７】
例えば、図３に示すように、移動局ＵＥ＃１の受信部２２は、サーチスペース＃Ａ及び＃Ｂにおいて、移動局ＵＥ宛てのＰＤＣＣＨ信号のデコードを試み流ように構成されており、移動局ＵＥ＃２の受信部２２は、サーチスペース＃Ａ及び＃Ｃにおいて、移動局ＵＥ宛てのＰＤＣＣＨ信号のデコードを試み流ように構成されている。
【００４８】
この結果、移動局ＵＥ＃１及びＵＥ＃２は、お互いに衝突することなく、自身宛てのＰＤＣＣＨ信号を受信することができる。
【００４９】
以下、図５を参照して、本実施形態に係る移動通信システムの動作について、具体的には、本実施形態に係る移動局ＵＥの動作について説明する。
【００５０】
図５に示すように、移動局ＵＥは、ステップＳ１０１において、無線基地局ｅＮＢによって移動局ＵＥに対して複数のＣ-ＲＮＴＩが割り当てられているか否かについて判定する。
【００５１】
「ＹＥＳ」の場合、本動作は、ステップＳ１０２に進み、「ＮＯ」の場合、本動作は、ステップＳ１０３に進む。
【００５２】
ステップＳ１０２において、移動局ＵＥは、複数のＣ-ＲＮＴＩに対応するサーチスペースの全てにおいて、ＰＤＣＣＨ用リソースを探索する。
【００５３】
一方、ステップＳ１０３において、移動局ＵＥは、１つのＣ-ＲＮＴＩに対応するサーチスペースにおいて、ＰＤＣＣＨ用リソースを探索する。
【００５４】
（変更例１）
以下、図６乃至図８を参照して、本発明の変更例１に係る移動通信システムについて、上述の第１の実施形態に係る移動通信システムとの相違点に着目して説明する。
【００５５】
図６に示すように、無線基地局ｅＮＢの割当部１１が、移動局ＵＥ＃１に対して、Ｃ-ＲＮＴＩ＃Ａ及びＣ-ＲＮＴＩ＃Ｂを割り当て、移動局ＵＥ＃２に対して、Ｃ-ＲＮＴＩ＃Ａ及びＣ-ＲＮＴＩ＃Ｃを割り当て、移動局ＵＥ＃３に対して、Ｃ-ＲＮＴＩ＃Ｄ及びＣ-ＲＮＴＩ＃Ｃを割り当て、移動局ＵＥ＃４に対して、Ｃ-ＲＮＴＩ＃Ｄ及びＣ-ＲＮＴＩ＃Ｅを割り当ており、移動局ＵＥ＃１宛てのＰＤＣＣＨ用リソースをＣ-ＲＮＴＩ＃Ｂに対応するサーチスペース＃Ｂに割り当て、移動局ＵＥ＃２宛てのＰＤＣＣＨ用リソースをＣ-ＲＮＴＩ＃Ｃに対応するサーチスペース＃Ｃに割り当て、移動局ＵＥ＃３宛てのＰＤＣＣＨ用リソースをＣ-ＲＮＴＩ＃Ｃに対応するサーチスペース＃Ｃに割り当て、移動局ＵＥ＃４宛てのＰＤＣＣＨ用リソースをＣ-ＲＮＴＩ＃Ｅに対応するサーチスペース＃Ｅに割り当てているケースでは、移動局ＵＥ＃１と移動局ＵＥ＃２との間の衝突、及び、移動局ＵＥ＃３と移動局ＵＥ＃４との間の衝突については回避することができるが、移動局ＵＥ＃２と移動局ＵＥ＃３との間の衝突については回避することができない。
【００５６】
したがって、本変更例１に係る移動通信システムでは、移動局ＵＥの受信部２２は、管理部２１によって管理されている複数のＣ-ＲＮＴＩのうちの「Ｐｒｉｍａｒｙ  Ｃ-ＲＮＴＩ」に対応するサーチスペースの一部において、「Ｐｒｉｍａｒｙ  Ｃ-ＲＮＴＩ」を用いてデスクランブリング処理を行い、かかるサーチスペースの残りの部分において、複数のＣ-ＲＮＴＩのうちの「Ｓｅｃｏｎｄａａｒｙ  Ｃ-ＲＮＴＩ」を用いてデスクランブリング処理を行うことによって、移動局ＵＥ宛てのＰＤＣＣＨ用リソースを探索するように構成されている。
【００５７】
ここで、「Ｐｒｉｍａｒｙ  Ｃ-ＲＮＴＩ」及び「Ｓｅｃｏｎｄａａｒｙ  Ｃ-ＲＮＴＩ」は、無線基地局ｅＮＢによって通知されるように構成されている。
【００５８】
例えば、図７に示すように、移動局ＵＥ＃１の受信部２２は、「Ｐｒｉｍａｒｙ  Ｃ-ＲＮＴＩ」であるＣ-ＲＮＴＩ＃Ａに対応するサーチスペース＃Ａの一部＃Ａ１において、Ｃ-ＲＮＴＩ＃Ａを用いてデスクランブリング処理を行い、かかるサーチスベース＃Ａの残りの部分＃Ａ２において、Ｃ-ＲＮＴＩ＃Ｂを用いてデスクランブリング処理を行うことによって、移動局ＵＥ＃１宛てのＰＤＣＣＨ用リソースを探索するように構成されている。
【００５９】
また、移動局ＵＥ＃２の受信部２２は、「Ｐｒｉｍａｒｙ  Ｃ-ＲＮＴＩ」であるＣ-ＲＮＴＩ＃Ａに対応するサーチスペース＃Ａの一部＃Ａ１において、Ｃ-ＲＮＴＩ＃Ａを用いてデスクランブリング処理を行い、かかるサーチスベース＃Ａの残りの部分＃Ａ２において、Ｃ-ＲＮＴＩ＃Ｃを用いてデスクランブリング処理を行うことによって、移動局ＵＥ＃２宛てのＰＤＣＣＨ用リソースを探索するように構成されている。
【００６０】
また、移動局ＵＥ＃３の受信部２２は、「Ｐｒｉｍａｒｙ  Ｃ-ＲＮＴＩ」であるＣ-ＲＮＴＩ＃Ｄに対応するサーチスペース＃Ｄの一部＃Ｄ１において、Ｃ-ＲＮＴＩ＃Ｄを用いてデスクランブリング処理を行い、かかるサーチスベース＃Ｄの残りの部分＃Ｄ２において、Ｃ-ＲＮＴＩ＃Ｃを用いてデスクランブリング処理を行うことによって、移動局ＵＥ＃３宛てのＰＤＣＣＨ用リソースを探索するように構成されている。
【００６１】
さらに、移動局ＵＥ＃４の受信部２２は、「Ｐｒｉｍａｒｙ  Ｃ-ＲＮＴＩ」であるＣ-ＲＮＴＩ＃Ｄに対応するサーチスペース＃Ｄの一部＃Ｄ１において、Ｃ-ＲＮＴＩ＃Ｄを用いてデスクランブリング処理を行い、かかるサーチスベース＃Ｄの残りの部分＃Ｄ２において、Ｃ-ＲＮＴＩ＃Ｅを用いてデスクランブリング処理を行うことによって、移動局ＵＥ＃４宛てのＰＤＣＣＨ用リソースを探索するように構成されている。
【００６２】
ここで、上述のサーチスベースの一部＃Ａ１/＃Ｄ１、及び、上述のサーチスベースの残りの部分＃Ａ２/＃Ｄ２は、無線基地局ｅＮＢによって通知されるように構成されている。
【００６３】
なお、上述のサーチスベースの一部＃Ａ１/＃Ｄ１及び残りの部分＃Ａ２/＃Ｄ２の比率について予め決められていてもよい。
【００６４】
かかるケースにおいて、無線基地局ｅＮＢの割当部１１は、移動局ＵＥ＃１宛てのＰＤＣＣＨ用リソースについては、Ｃ-ＲＮＴＩ＃Ａに対応するサーチスペース＃Ａの残りの部分＃Ａ２に割り当て、Ｃ-ＲＮＴＩ＃Ｂを用いてスクランブリング処理を行うように構成されている。
【００６５】
また、無線基地局ｅＮＢの割当部１１は、移動局ＵＥ＃２宛てのＰＤＣＣＨ用リソースについては、Ｃ-ＲＮＴＩ＃Ａに対応するサーチスペース＃Ａの残りの部分＃Ａ２に割り当て、Ｃ-ＲＮＴＩ＃Ｃを用いてスクランブリング処理を行うように構成されている。
【００６６】
また、無線基地局ｅＮＢの割当部１１は、移動局ＵＥ＃３宛てのＰＤＣＣＨ用リソースについては、Ｃ-ＲＮＴＩ＃Ｄに対応するサーチスペース＃Ｄの残りの部分＃Ｄ２に割り当て、Ｃ-ＲＮＴＩ＃Ｃを用いてスクランブリング処理を行うように構成されている。
【００６７】
さらに、無線基地局ｅＮＢの割当部１１は、移動局ＵＥ＃３宛てのＰＤＣＣＨ用リソースについては、Ｃ-ＲＮＴＩ＃Ｄに対応するサーチスペース＃Ｄの残りの部分＃Ｄ２に割り当て、Ｃ-ＲＮＴＩ＃Ｅを用いてスクランブリング処理を行うように構成されている。
【００６８】
以下、図８を参照して、本変更例１に係る移動通信システムの動作について、具体的には、本実施形態に係る移動局ＵＥの動作について説明する。
【００６９】
図８に示すように、移動局ＵＥは、ステップＳ２０１において、無線基地局ｅＮＢによって移動局ＵＥに対して複数のＣ-ＲＮＴＩが割り当てられているか否かについて判定する。
【００７０】
「ＹＥＳ」の場合、本動作は、ステップＳ２０２に進み、「ＮＯ」の場合、本動作は、ステップＳ２０３に進む。
【００７１】
ステップＳ２０２において、移動局ＵＥは、「Ｐｒｉｍａｒｙ  Ｃ-ＲＮＴＩ」に対応するサーチスペースの一部において、「Ｐｒｉｍａｒｙ  Ｃ-ＲＮＴＩ」を用いて、デスクランブリング処理を行い（すなわち、ＰＤＣＣＨのＣＲＣをチェックし）、「Ｐｒｉｍａｒｙ  Ｃ-ＲＮＴＩ」に対応するサーチスペースの残りの部分において、「Ｓｅｃｏｎｄａｒｙ  Ｃ-ＲＮＴＩ」を用いて、デスクランブリング処理を行う（すなわち、ＰＤＣＣＨのＣＲＣをチェックする）。
【００７２】
一方、ステップＳ２０３において、移動局ＵＥは、１つのＣ-ＲＮＴＩに対応するサーチスペースにおいて、ＰＤＣＣＨ用リソースを探索する（すなわち、かかるＣ-ＲＮＴＩを用いて、ＰＤＣＣＨのＣＲＣをチェックする）。
【００７３】
以上に述べた本実施形態の特徴は、以下のように表現されていてもよい。
【００７４】
本実施形態の第１の特徴は、無線基地局ｅＮＢであって、各移動局ＵＥ＃１〜ＵＥ＃４に対して、複数のＣ-ＲＮＴＩを割り当てることができるように構成されている割当部１１を具備しており、割当部１１は、複数の移動局ＵＥ＃１〜ＵＥ＃４同士で、ＰＤＣＣＨ用リソースを割り当てるサーチスペースが衝突しないように調整するように構成されていることを要旨とする。
【００７５】
かかる構成によれば、ファントムセル内において、Ｃ-ＲＮＴＩの枯渇問題を回避しつつ、移動局ＵＥ同士の衝突を回避することができる。
【００７６】
本実施形態の第１の特徴において、割当部１１は、移動局ＵＥ＃１〜ＵＥ＃４間の距離を考慮して、上述の調整を行うように構成されていてもよい。
【００７７】
かかる構成によれば、無線基地局ｅＮＢは、ファントムセル内で、所定距離以上離れている移動局ＵＥ同士については、同じＣ-ＲＮＴＩを割り当てた場合であっても、衝突が発生しないと判断して、上述の調整を行わなくてもよい。この結果、無線基地局ｅＮＢの処理負荷を軽減することができる。
【００７８】
本実施形態の第２の特徴は、移動局ＵＥであって、無線基地局ｅＮＢによって割り当てられている複数のＣ-ＲＮＴＩを管理するように構成されている管理部２２と、複数のＣ-ＲＮＴＩに対応するサーチスペースにおいて、移動局ＵＥ宛てのＰＤＣＣＨ用リソースを探索するように構成されている受信部２１とを具備することを要旨とする。
【００７９】
かかる構成によれば、ファントムセル内において、Ｃ-ＲＮＴＩの枯渇問題を回避しつつ、移動局ＵＥ同士の衝突を回避することができる。
【００８０】
本実施形態の第３の特徴は、移動局ＵＥであって、無線基地局ｅＮＢによって割り当てられている複数のＣ-ＲＮＴＩを管理するように構成されている管理部２２と、複数のＣ-ＲＮＴＩのうちの「Ｐｒｉｍａｒｙ  Ｃ-ＲＮＴＩ（プライマリＣ-ＲＮＴＩ）」に対応するサーチスペースの一部において、「Ｐｒｉｍａｒｙ  Ｃ-ＲＮＴＩ」を用いてデスクランブリング処理を行い、かかるサーチスペースの残りの部分において、複数のＣ-ＲＮＴＩのうちの「Ｓｅｃｏｎｄａｒｙ  Ｃ-ＲＮＴＩ」を用いてデスクランブリング処理を行うことによって、移動局ＵＥ宛てのＰＤＣＣＨ用リソースを探索するように構成されている受信部２２とを具備することを要旨とする。
【００８１】
かかる構成によれば、ファントムセル内で、多数の移動局ＵＥが存在する場合であっても、Ｃ-ＲＮＴＩの枯渇問題を回避しつつ、移動局ＵＥ同士の衝突を回避することができる。
【００８２】
なお、上述の移動局ＵＥ＃１〜ＵＥ＃４や無線基地局ｅＮＢの動作は、ハードウェアによって実施されてもよいし、プロセッサによって実行されるソフトウェアモジュールによって実施されてもよいし、両者の組み合わせによって実施されてもよい。
【００８３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ＃１〜ＵＥ＃４や無線基地局ｅＮＢ内に設けられていてもよい。また、かかる記憶媒体及びプロセッサは、ディスクリートコンポーネントとして移動局ＵＥ＃１〜ＵＥ＃４や無線基地局ｅＮＢ内に設けられていてもよい。
【００８５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８６】
ＵＥ＃１〜ＵＥ＃４…移動局
ＰｈＮＢ＃１…無線基地局
１１…割当部
１２…送信部
２１…受信部
２２…管理部
【図１】
2014138393.tif 000003
【図２】
2014138393.tif 000004
【図３】
2014138393.tif 000005
【図４】
2014138393.tif 000006
【図５】
2014138393.tif 000007
【図６】
2014138393.tif 000008
【図７】
2014138393.tif 000009
【図８】
2014138393.tif 000010
【図９】
2014138393.tif 000011
【図１０】
2014138393.tif 000012
【図１１】
2014138393.tif 000013
【図１２】
2014138393.tif 000014
【図１３】
2014138393.tif 000015
【図１４】
2014138393.tif 000016